(57)【特許請求の範囲】
【請求項１】
アンテナコアおよび前記アンテナコアに巻かれたコイルを備えるアンテナを有し、電波時計用の外装ケース内に収納される電波時計用ムーブメントであって、
前記アンテナコアは、
前記コイルが巻かれたコイル巻部と、
前記コイル巻部の第１の端部に連続して形成された第１リード部と、
前記コイル巻部の第２の端部に連続して形成された第２リード部とを備え、前記外装ケースの内周面から離間して配置可能とされ、
前記第１リード部および第２リード部は、
前記コイル巻部側の基端部から、基端部および先端部間に設けられる中間部まで連続する第１外周面と、
前記中間部から先端部まで連続する第２外周面とをそれぞれ備え、
前記第１リード部の第１外周面および第２リード部の第１外周面は、同心円に沿った円弧状、前記同心円の円弧に近似させた直線形状、または、前記同心円の円弧に近似した前記同心円と曲率の異なる円弧形状のいずれかの形状に形成され、
前記第１リード部の第２外周面および第２リード部の第２外周面は、前記同心円の外側に突出している
ことを特徴とする電波時計用ムーブメント。
【請求項２】
請求項１に記載の電波時計用ムーブメントと、
前記電波時計用ムーブメントの外周に取り付けられる中枠と、
前記中枠および電波時計用ムーブメントが収納される外装ケースとを備え、
前記中枠には、前記第１リード部および第２リード部の先端部がそれぞれ配置される凹部が形成されている
ことを特徴とする電波時計。
【請求項３】
請求項２に記載の電波時計において、
前記外装ケースの内周面には、前記第１リード部および第２リード部の外周面に対向する凹部が形成されている
ことを特徴とする電波時計。
【発明の詳細な説明】
【技術分野】
【０００１】
本発明は、時刻情報を有する標準電波を受信するアンテナを内蔵する電波時計用ムーブメントおよび電波時計に関する。
【背景技術】
【０００２】
標準電波を受信して時刻情報を取得し、表示時刻を自動的に修正する電波時計が知られている。この電波時計のうち、特に腕時計タイプの電波時計では、外装ケース内の空間も小さい。このため、電波の受信のために長さが必要なアンテナは、電池や輪列等の他の部品との取り合いを考慮すると、外装ケースの内周面に沿って配置される（例えば、特許文献１の従来例である段落０００２〜０００５および図９参照）。
【先行技術文献】
【特許文献】
【０００３】
【特許文献１】特開２０１１−２７５７２号公報
【発明の概要】
【発明が解決しようとする課題】
【０００４】
ところで、腕時計では、外観向上等のために金属製の外装ケース（胴）を用いることが多い。このような金属製の外装ケースの内周面に沿ってアンテナを配置すると、特許文献１の段落０００７に記載されているように、受信時にアンテナで発生した磁束が外装ケースに流れて渦電流が発生し、受信性能が低下するという問題がある。
また、特許文献１の段落０００８に記載されているように、渦電流の発生を抑えるために、外装ケースの内周面とアンテナとの距離を長くすると、時計が大型化してしまうという問題がある。
【０００５】
このため、特許文献１では、外装ケースの平面形状を角型や樽型とし、アンテナの両端部と外装ケースの内壁との最短距離が、コイルと外装ケースの内壁との最短距離よりも長くなるようにアンテナを配置することで、受信感度を高めていた。
【０００６】
しかしながら、特許文献１の発明は、平面形状が円形の外装ケースの腕時計には適用できないという問題があった。特に、腕時計では平面形状が円形の外装ケースを用いたものが主流であり、このような腕時計においても受信感度を向上できる電波時計が求められていた。
また、特許文献１では、平面円形のムーブメントを用いているが、このムーブメントを内蔵する外装ケースとしては、特許文献１の図１，６，７に示すように、時計の１２時−６時方向の長さ寸法（高さ寸法）を、３時−９時方向の長さ寸法（幅寸法）よりも大きくしなければならず、外装ケースを必ずしも小型化できず、時計のデザインにも制約があるという問題もあった。
【０００７】
本発明の目的は、時計の平面形状の制約を少なくでき、受信性能を低下させずに小型の外装ケース内にも配置できる電波時計用ムーブメントおよび電波時計を提供することにある。
【課題を解決するための手段】
【０００８】
本発明は、アンテナコアおよび前記アンテナコアに巻かれたコイルを備えるアンテナを有する電波時計用ムーブメントであって、前記アンテナコアは、前記コイルが巻かれたコイル巻部と、前記コイル巻部の第１の端部に連続して形成された第１リード部と、前記コイル巻部の第２の端部に連続して形成された第２リード部とを備え、前記第１リード部および第２リード部は、前記コイル巻部側の基端部から、基端部および先端部間に設けられる中間部まで連続する第１外周面と、前記中間部から先端部まで連続する第２外周面とをそれぞれ備え、前記第１リード部の第１外周面および第２リード部の第１外周面は、同心円に沿った円弧状、または、前記同心円の円弧に近似させた直線状に形成され、前記第１リード部の第２外周面および第２リード部の第２外周面は、前記同心円の外側に突出していることを特徴とする。
【０００９】
本発明によれば、第１リード部および第２リード部において、基端部から中間部まで連続する各第１外周面を同心円に沿った円弧状または前記同心円の円弧に近似させた直線状に形成しているので、電波時計用ムーブメントを平面円形に構成した際に、ムーブメントの外周面から一定間隔離して前記第１外周面を配置できる。このため、電波時計用ムーブメントを金属製の外装ケース内に収納した場合に、各リード部において最も磁束密度が高い基端部を、ケース内周面から一定間隔離して配置でき、電波の受信時に発生する磁束が金属製の外装ケースに流れて渦電流が発生することを抑制でき、渦電流損失による受信性能の低下も抑えることができる。
また、第１リード部および第２リード部において、中間部から先端部まで連続する各第２外周面を前記同心円の外側に突出させているので、リード部の外周面を同心円に沿って配置している従来技術に比べて、アンテナコアの長さ寸法を容易に長くできる。すなわち、リード部を同心円状に湾曲させて延長する場合、特に小型のムーブメントでは、電池やモーターなどの他の部品に干渉するためアンテナコアを長くすることが難しい。
一方、本発明では、第２外周面を同心円の外側に突出しているので、各リード部の先端部をムーブメントの外周側つまり外装ケースの内周面に向かって延長できる。このため、電池やモーターなどの他の部品との取り合いを考慮することなく、アンテナコアの長さ寸法を容易に長くできる。そして、アンテナコアの長さ寸法を長くできることで、バーアンテナと同様に電波の受信感度を向上できる。
さらに、各リード部の先端部が、金属製の外装ケースの内周面に近づくことになるが、リード部の先端部は基端部に比べて磁束密度が低いため、渦電流損失も小さくできる。このため、特に腕時計用のムーブメントのように、アンテナも小型化する必要がある場合には、各リード部の先端部を外装ケースの内周面に近づけてアンテナコアの長さ寸法を長くすることによる受信性能の向上が、磁束密度が低い先端部が外装ケース内周面に近づくことで発生する渦電流損失による受信性能の低下を上回り、全体として受信性能を向上できる。
従って、本発明の電波時計用ムーブメントによれば、平面形状が矩形や樽型の外装ケースだけでなく、円形の外装ケースにも組み込むことができて時計の平面形状の制約を少なくできる。さらに、各リード部の基端部はムーブメント外周から一定間隔離して配置でき、外装ケースをムーブメントに対して大型化する必要がなく、女性用などに利用される小型の外装ケース内にも配置できる。そして、前述のように、アンテナコアの長さ寸法を長くし、かつ、磁束密度が高いリード部の基端部は外装ケースから離して配置できるので、従来技術に比べて受信性能を容易に向上できる。
【００１０】
本発明の電波時計は、前記電波時計用ムーブメントと、前記電波時計用ムーブメントの外周に取り付けられる中枠と、前記中枠および電波時計用ムーブメントが収納される外装ケースとを備え、前記中枠には、前記第１リード部および第２リード部の先端部がそれぞれ配置される凹部が形成されていることを特徴とする。
【００１１】
中枠に凹部を形成して、各リード部の先端部を配置しているので、同一サイズの中枠を用いた従来技術のアンテナに比べて、アンテナコアの長さ寸法を長くできる。このため、時計サイズを増大させることなく受信性能を向上できる。
【００１２】
本発明の電波時計において、前記外装ケースの内周面には、前記第１リード部および第２リード部の外周面に対向する凹部が形成されていることが好ましい。
【００１３】
外装ケースの内周面に凹部を形成したので、各リード部の外周面から外装ケースの内周面までの間隔を大きくでき、その分、渦電流損失の発生を抑制でき、受信性能を向上できる。
【図面の簡単な説明】
【００１４】
【図１】本発明の実施形態の電波時計を示す正面図。
【図２】前記実施形態の要部を示す分解斜視図。
【図３】前記実施形態の外装ケース、中枠、アンテナを裏面側から見た分解斜視図。
【図４】前記実施形態の要部を示す平面図。
【図５】前記実施形態の中枠およびアンテナを示す斜視図。
【図６】前記実施形態のアンテナを示す平面図。
【図７】比較例のアンテナを示す平面図。
【図８】本発明の変形例のアンテナを示す平面図。
【発明を実施するための形態】
【００１５】
以下、本発明に係る実施形態を図面に基づいて説明する。
［電波時計の構成］
図１は、本実施形態に係る電波時計（電波修正時計）１の平面図である。
アンテナ内蔵式電子時計である電波時計１は、図１に示すように、時刻を表示する時刻表示部１０を備えた指針式腕時計（アナログ時計）である。この時刻表示部１０は、時針１１、分針１２、秒針１３、文字板１４を備える。そして、電波時計１は、時刻情報を含む無線電波としての長波標準電波を受信し、受信した時刻情報に基づいて時針１１、分針１２、秒針１３の指示位置を補正可能な時計である。
【００１６】
ここで、文字板１４としては、例えば合成樹脂やセラミック等の非導電性素材から形成されていることが好ましく、これにより、カバーガラス１２０側から進入する長波標準電波が阻害されず、後述するアンテナ２０にて良好に受信させることができる。
なお、アンテナ２０によって長波標準電波を受信する受信回路の構成は、従来の電波時計と同じであるため、説明を省略する。
【００１７】
［電波時計の構造］
次に、電波時計１の具体的構造について説明する。
電波時計１は、外装ケース１００を備えている。外装ケース１００は、約リング状に形成されたケーシング（胴）１１０と、ケーシング１１０の表面側に装着されたカバーガラス１２０と、ケーシング１１０の裏面側に着脱可能に取り付けられた図示略の裏蓋とを備えている。
【００１８】
ケーシング１１０は、ステンレス鋼、真鍮、チタン等の金属材で構成されている。このケーシング１１０は、図２、３にも示すように、略円筒状に形成され、内周面１１１が平面略円形に形成されている。
内周面１１１には、後述するアンテナコア２１の第１リード部２３、第２リード部２４の外周面に対向する２つの位置に、凹部１１２，１１３が形成されている。
図示略の裏蓋は、ケーシング１１０と同様な金属材で構成され、ケーシング１１０の裏面開口に固定されている。
【００１９】
外装ケース１００内には、図２に示すようなムーブメント（モジュール）３が配置されている。ムーブメント３は、合成樹脂製の地板５を備えている。この地板５は、平面形状が略円形とされ、図４にも示すように、アンテナユニット２の他、モーター８１，８２、二次電池８３や図示略の回路基板や輪列などが取り付けられている。
【００２０】
また、地板５の上面には、図示略の日車や日回し車等のカレンダー表示機構が配置される。さらに、カレンダー表示機構の上面には、図示略の太陽電池が配置され、この太陽電池の上面に前記文字板１４が配置される。文字板１４は、文字板受けリング１３０で支持されている。このような構成は従来から周知であるため、説明を省略する。
なお、本実施形態では、モーター８１は、秒針１３および分針１２の駆動用であり、モーター８２は時針１１および日車の駆動用である。一般的な腕時計では、秒針用のモーターと、時分針用のモーターと、日車用のモーターとの３つのモーターを用いるが、本実施形態は、２つのモーター８１，８２のみで時分秒針（三針）および日車を駆動している。このため、ムーブメント３は、３つのモーターおよびアンテナユニット２を備える従来のムーブメントに比べて、特に直径が小さなムーブメントとされている。
【００２１】
本実施形態のムーブメント３は、図２に示すように、文字板受けリング１３０および中枠１４０で上下から挟まれて保持され、文字板受けリング１３０や中枠１４０を介して外装ケース１００に取り付けられている。
従って、外装ケース１００のサイズや平面形状に応じた文字板受けリング１３０や中枠１４０を用意することで、共通のムーブメント３を用いて、様々なサイズやデザインの腕時計を構成することができる。すなわち、本実施形態のムーブメント３は、前述のとおり従来の三針およびカレンダーを備える電波時計用ムーブメントに比べて小型であるため、図１に示すような女性用の小型の時計から大型の時計まで、ムーブメント３を共通して用いることができる。
【００２２】
［アンテナユニットの構造］
アンテナユニット２は、図２〜５に示すように、アンテナ２０と、第１アンテナ枠４０と、第２アンテナ枠５０とを備えて構成されている。
アンテナ２０は、アンテナコア２１と、アンテナコア２１に巻かれたコイル２５とで構成され、必要に応じて、耐食性に優れるカチオン電着塗装等で絶縁が施される。
【００２３】
アンテナコア２１は、例えば、磁性箔材としてのコバルト系のアモルファス金属箔（例；Ｃｏ５０ｗｔ％以上のアモルファスシート）を型で打ち抜くか、エッチングで成形したものを電波時計１の厚さ方向に１０〜３０枚程接着して重ね合わせ、焼鈍等の熱処理を行って磁気特性を安定化させたものである。
アンテナコア２１は、図５、６に示すように、コイル巻部２２と、第１リード部２３と、第２リード部２４とを備えて構成されている。
【００２４】
コイル巻部２２は、ストレート（直線状）に延長されてコイル２５が巻かれる棒状部分である。すなわち、コイル巻部２２は、幅寸法が一定のバー状に形成されている。
第１リード部２３は、コイル巻部２２の長手方向の一方の端部である第１の端部２１１に連続して形成されている。
第２リード部２４は、コイル巻部２２の長手方向の他方の端部である第２の端部２１２に連続して形成されている。
【００２５】
第１リード部２３は、図６に示すように、第１の端部２１１に連続する基端部２３Ａ側の幅寸法（第１リード部２３の突出方向に直交する寸法）が大きくされ、基端部２３Ａから中間部２３Ｂを介して先端部２３Ｃに向かうにしたがって幅寸法が小さくなる先細りの形状とされている。
ケーシング１１０の内周面１１１に対向する第１リード部２３の外周面２３０において、基端部２３Ａから中間部２３Ｂまで連続する第１外周面２３１は、ムーブメント３の平面中心を中心点Ｏとする同心円２２０に沿って略円弧状に形成されている。なお、この同心円２２０は、前記内周面１１１よりも直径が小さく、かつ、内周面１１１と同心の円とされている。
一方、前記外周面２３０において、中間部２３Ｂから先端部２３Ｃまで連続する第２外周面２３２は、前記同心円２２０よりも外側（内周面１１１側）に突出している。
【００２６】
第２リード部２４も、第１リード部２３と同様に、第２の端部２１２に連続する基端部２４Ａ側の幅寸法（第２リード部２４の突出方向に直交する寸法）が大きくされ、基端部２４Ａから中間部２４Ｂを介して先端部２４Ｃに向かうにしたがって幅寸法が小さくなる先細りの形状とされている。
そして、ケーシング１１０の内周面１１１に対向する第２リード部２４の外周面２４０において、基端部２４Ａから中間部２４Ｂまで連続する第１外周面２４１は、前記同心円２２０に沿って略円弧状に形成されている。
一方、前記外周面２４０において、中間部２４Ｂから先端部２４Ｃまで連続する第２外周面２４２は、前記同心円２２０よりも外側（内周面１１１側）に突出している。
【００２７】
従って、前記外周面２３０、２４０において、同心円２２０の中心点Ｏからの距離（長さ）が最も長いのは、第２外周面２３２、２４２における第１リード部２３、第２リード部２４の先端部２３Ｃ，２４Ｃである。
従って、前記同心円２２０の中心点Ｏから第１リード部２３、第２リード部２４の先端部２３Ｃ，２４Ｃの第２外周面２３２、２４２までの半径ｒ１１，ｒ２１は、中心点Ｏから第１リード部２３、第２リード部２４の基端部２３Ａ、２４Ａの第１外周面２３１、２４１までの半径ｒ１２，ｒ２２よりも長くされている。
【００２８】
ここで、アンテナコア２１の各アモルファス箔は、厚さ寸法が０．０１ｍｍ〜０．０５ｍｍ程度であるため、例えば３０枚積層した場合、アンテナコア２１の積層方向の厚さ寸法は０．３〜１．５ｍｍ程度である。アモルファス箔材はフェライトに比べて磁気特性が良いため、より小型・薄型のアンテナを実現できる。
なお、アンテナコア２１としては、積層アモルファス箔に限定されず、軟磁性金属薄帯等でもよい。また、アンテナコア２１としては、性能は劣るが安価なフェライトを用いてもよく、この場合には、型等で成形し、熱処理して製造すればよい。
【００２９】
アンテナコア２１のコイル巻部２２に巻回されるコイル２５は、長波標準電波（４０〜７７．５ｋＨｚ）を受信する場合は、１５〜５０ｍＨ程度のインダクタンス値が必要となる。このため、本実施形態では、コイル２５として直径約５０μｍ程度のウレメット線を数百ターンほど巻いて構成している。
【００３０】
なお、アンテナにおける受信性能を向上させるために、前記第１リード部２３、第２リード部２４の表面に集磁板を貼り付けてもよい。
集磁板は、例えば、アモルファスシートからなる磁性箔体（アモルファス箔）を数枚（例えば３枚）積層して構成できる。アモルファス箔としては、例えばコバルト系アモルファス金属（Co-Fe-Ni-B-Si）や鉄系アモルファス金属などが挙げられる。
【００３１】
［第１アンテナ枠］
第１アンテナ枠４０は、合成樹脂製の部材であり、前記アンテナコア２１を保持する溝状の第１保持部４１と、中枠１４０に位置決めされて保持される第１位置決め部４２、第２位置決め部４３を備えている。なお、第２位置決め部４３の上面には前記第１リード部２３の先端部２３Ｃが載置されている。
第１アンテナ枠４０には、地板５に形成されたピンが挿通される孔４５と、地板５を通して図示略のネジが挿通される挿通孔４６も形成されている。
【００３２】
［第２アンテナ枠］
第２アンテナ枠５０は、第１アンテナ枠４０と同様に合成樹脂製の部材であり、前記アンテナコア２１を保持する溝状の第２保持部５１と、中枠１４０に位置決めされて保持される第１位置決め部５２、第２位置決め部５３を備えている。なお、第２位置決め部５３の上面には前記第２リード部２４の先端部２４Ｃが載置されている。
第２アンテナ枠５０の第１位置決め部５２には、地板５に形成されたピンが挿通される孔５５が形成されている。
【００３３】
［中枠］
中枠１４０には、第１アンテナ枠４０の第１位置決め部４２、第２位置決め部４３が配置される第１凹部１４１、第２凹部１４２と、第２アンテナ枠５０の第１位置決め部５２、第２位置決め部５３が配置される第３凹部１４３、第４凹部１４４とが形成されている。
これらの各凹部１４１，１４２，１４３，１４４は、中枠１４０の内周面に開口され、かつ、中枠１４０の上面（文字板受けリング１３０に対向する面）に開口されている。
従って、第２位置決め部４３、第２位置決め部５３の上面に載置された第１リード部２３、第２リード部２４の先端部２３Ｃ，２４Ｃは、中枠１４０の内周面よりも外側に突出して配置されている。
【００３４】
［ケーシング］
前記アンテナ２０を備えるムーブメント３と、文字板受けリング１３０、中枠１４０とをケーシング１１０内に組み込んだ場合、図４に示すように、ケーシング１１０の各凹部１１２，１１３が、前記第１リード部２３、第２リード部２４の外周面２３０、２４０に対向する位置に形成されている。
このため、第１リード部２３の先端部２３Ｃとケーシング１１０の内周面１１１までの間隔ｗ１１、第１リード部２３の基端部２３Ａとケーシング１１０の内周面１１１までの間隔ｗ１２、第２リード部２４の先端部２４Ｃとケーシング１１０の内周面１１１までの間隔ｗ２１、第２リード部２４の基端部２４Ａとケーシング１１０の内周面１１１までの間隔ｗ２２は、前記凹部１１２，１１３が形成されていない場合に比べて大きくなる。
【００３５】
このようなアンテナ２０は、図１に示すように、外装ケース１００の中心に対して６時から１０時位置にわたって配置されている。
一方、外装ケース１００の３時側には外部操作部材６が配置されている。外部操作部材６は、外装ケース１００の３時位置に配置された、巻真および竜頭７と、２時位置および４時位置に配置されたボタン８，９とを備えている。
【００３６】
［受信性能評価］
次に、本実施形態のアンテナ２０を用いた場合と、図７に示す従来のアンテナ２００を用いた場合とにおける受信感度の評価結果について説明する。
図７に示すアンテナ２００は、アンテナコア２６の第１リード部２７および第２リード部２８の外周面２７０、２８０が同心円２２０から突出しない点が前記アンテナ２０と相違する。
このため、中心点Ｏから外周面２７０、２８０までの半径ｒは、前記ｒ１２，２２と同じ寸法である。
また、アンテナ２０の各リード部２３，２４の先端間の長さＬ１は、アンテナ２００のリード部２７，２８の先端間の長さＬ２よりも長くなる。
【００３７】
受信感度の評価に用いたアンテナ２０におけるＬ１と、ｗ１１〜ｗ２２は以下の通りである。すなわち、Ｌ１＝16.35mm、ｗ１１＝0.935mm、ｗ１２＝2.204mm、ｗ２１＝0.815mm、ｗ２２＝2.225mmである。
比較例となるアンテナ２００におけるＬ２は14.31mmである。また、第１リード部２７の先端部と凹部１１２との間隔（前記ｗ１１に対応する寸法）は2.237mmであり、第２リード部２８の先端部と凹部１１３との間隔（前記ｗ２１に対応する寸法）は1.692mmである。なお、アンテナ２００の各リード部２７，２８の基端部と凹部１１２，１１３との間隔は、アンテナ２０のリード部２３，２４の基端部２３Ａ、２４Ａと凹部１１２，１１３との間隔ｗ１２，ｗ２２と同じ寸法である。
【００３８】
以上のアンテナ２０、２００を用いて日本の標準電波ＪＪＹ４０の受信感度を評価したところ、本実施形態のアンテナ２０は、比較例のアンテナ２００に対し、約1.5dbほど感度が良好であった。
同様に、ドイツの標準電波ＤＣＦ７７の受信感度を評価したところ、本実施形態のアンテナ２０は、比較例のアンテナ２００に対し、約２dbほど感度が良好であった。
【００３９】
以上の受信性能の違いは、主に以下の点によるものである。すなわち、アンテナ２０はバーアンテナと同様の受信特性であるため、外部からの標準電波を受信するためにはアンテナコア２１の長さ寸法が長いほど受信感度を向上できる。
一方、従来は、特許文献１に開示されていたように、アンテナコア２１の先端が金属製の外装ケース１００に近づくと渦電流損失によって受信感度も低下するものと考えられていた。これに対し、本発明者が解析したところ、アンテナコア２１の各リード部２３，２４の先端部２３Ｃ，２４Ｃにおける磁束密度は、各リード部２３，２４の基端部２３Ａ、２４Ａの磁束密度に比べて低いため、リード部２３，２４の基端部２３Ａ、２４Ａを外装ケース１００から離して配置すれば、リード部２３，２４の先端部２３Ｃ，２４Ｃが外装ケース１００に近づいても渦電流損失の影響を低減できることが判明した。
以上のことから、リード部２３，２４においてムーブメント３の中心点Ｏから各リード部２３，２４の外周面２３０、２４０までの距離は、各リード部２３，２４の先端部２３Ｃ，２４Ｃを最も長くすることで、つまりムーブメント３の外周に配置される外装ケース１００の内周面１１１との幅寸法を、各リード部２３，２４の先端部２３Ｃ，２４Ｃよりも基端部２３Ａ、２４Ａ側が大きくなるように構成することで、アンテナコア２１の全長を長くできて受信感度を向上でき、かつ、渦電流損失の影響を抑制できる。このため、従来用いられていたアンテナ２００に比べて受信性能を向上できる。
【００４０】
このような本実施形態によれば、次の効果が得られる。
（１）本実施形態によれば、ムーブメント３の中心点Ｏから各リード部２３，２４の外周面２３０、２４０までの距離は、各リード部２３，２４の先端部２３Ｃ，２４Ｃを最も長くし、外装ケース１００の内周面１１１との幅寸法を、各リード部２３，２４の先端部２３Ｃ，２４Ｃよりも基端部２３Ａ、２４Ａ側が大きくなるように構成したので、アンテナコア２１の長さ寸法を長くできて受信感度を向上でき、かつ、渦電流損失の影響を抑制できて、従来のアンテナ２００に比べて受信性能を向上できる。
【００４１】
（２）また、各リード部２３，２４において、磁束密度が先端部２３Ｃ，２４Ｃに比べて高い基端部２３Ａ、２４Ａから中間部２３Ｂ、２４Ｂまでの第１外周面２３１、２４１は、ムーブメント３の中心点Ｏを中心とする同心円２２０に沿った円弧状に形成しているので、外装ケース１００の内周面１１１との間隔も一定寸法以上確保しやすく、渦電流損失の発生を効果的に抑制できる。
さらに、磁束密度が基端部２３Ａ、２４Ａに比べて低い中間部２３Ｂ、２４Ｂから先端部２３Ｃ，２４Ｃまでの第２外周面２３２、２４２を、前記同心円２２０の外側に突出させているので、その分、アンテナコア２１の長さ寸法を容易に長くでき、受信性能を向上できる。
【００４２】
（３）さらに、中枠１４０に第２凹部１４２、第４凹部１４４を形成して、各リード部２３，２４の先端部２３Ｃ，２４Ｃを配置しているので、比較例のアンテナ２００を用いた場合に利用されていた中枠と外周面の直径サイズが同じ中枠１４０を用いても、アンテナコア２１の長さ寸法を大きくできる。このため、女性用の小型の外装ケース１００にも、中枠１４０を介してムーブメント３を配置でき、アンテナ２００を用いた場合に比べて時計サイズを増大させることなく受信性能を向上できる。
【００４３】
（４）外装ケース１００の内周面１１１に凹部１１２，１１３を形成したので、リード部２３，２４の外周面２３０、２４０から内周面１１１までの間隔を大きくでき、その分、渦電流損失の発生を抑制でき、受信性能を向上できる。
【００４４】
なお、本発明は、前記実施形態に限定されるものではない。
例えば、図８に示すように、アンテナ２０の各リード部２３，２４の外周面２３０Ａ，２４０Ａにおける第１外周面２３１Ａ、２４１Ａは、同心円２２０の円弧に近似させた直線形状としても良い。さらに、各リード部２３，２４の第１外周面は、同心円２２０の円弧に近似していれば、同心円２２０と曲率の異なる円弧形状としてもよい。要するに、第１外周面は、外装ケース１００の内周面１１１から所定寸法離れて配置できるように形成されていればよい。そして、前記各リード部２３，２４の基端部２３Ａ、２４Ａは、前記同心円２２０の外側に突出しないように形成されていればよい。従って、前記同心円２２０は、例えば、前記基端部２３Ａ、２４Ａの外側を通るように設定すればよい。
【００４５】
また、前記実施形態では、アンテナ枠を第１アンテナ枠４０および第２アンテナ枠５０の２つの部材で構成していたが、各アンテナ枠４０，５０部分を連結する連結部を備えて一体化されたアンテナ枠を用いてもよい。さらに、アンテナ枠４０，５０を設けずに、アンテナコア２１およびコイル２５からなるアンテナ２０を直接地板５に取り付けてもよい。
【００４６】
前記実施形態では、外装ケース１００に凹部１１２，１１３を形成していたが、この凹部１１２，１１３を形成しない外装ケースを用いてもよい。特に、男性用等に用いられる大型の外装ケースに前記ムーブメント３を組み込む場合には、凹部１１２，１１３を設ける必要がないためである。
また、前記実施形態では、中枠１４０に第２凹部１４２、第４凹部１４４を形成して、リード部２３，２４の先端部を配置していたが、このような凹部を備えない中枠を用いてもよい。特に、男性用等に用いられる大型の外装ケースに前記ムーブメント３を組み込む場合には、ケースに比べてムーブメント３が小さく中枠も大径に形成できるため、凹部を設ける必要がないためである。
これらの場合も、各リード部２３，２４の外周面２３０、２４０と外装ケースの内周面との間隔を広くできて渦電流損失の発生を抑制できる。
さらに、本発明は中枠を用いずに、ムーブメントを直接外装ケース内に配置する場合にも利用できる。
【００４７】
前記実施形態の外装ケース１００は平面形状が略円形のものであったが、平面形状が矩形や樽型などのケースを用いてもよい。この場合、ケース形状に合わせて、文字板受けリング１３０や中枠１４０を準備すればよい。
【符号の説明】
【００４８】
１…電波時計、２…アンテナユニット、３…ムーブメント、５…地板、２０…アンテナ、２１…アンテナコア、２２…コイル巻部、２３…第１リード部、２４…第２リード部、２３Ａ、２４Ａ…基端部、２３Ｂ、２４Ｂ…中間部、２３Ｃ，２４Ｃ…先端部、２５…コイル、４０…第１アンテナ枠、５０…第２アンテナ枠、１００…外装ケース、１１０…ケーシング、１１１…内周面、１１２，１１３…凹部、１３０…文字板受けリング、１４０…中枠、１４１，１４２，１４３，１４４…凹部、２２０…同心円、２３０、２４０…外周面、２３１、２４１…第１外周面、２３２、２４２…第２外周面。
【図１】
0005987467.tif 000002
【図２】
0005987467.tif 000003
【図３】
0005987467.tif 000004
【図４】
0005987467.tif 000005
【図５】
0005987467.tif 000006
【図６】
0005987467.tif 000007
【図７】
0005987467.tif 000008
【図８】
0005987467.tif 000009